(57)【特許請求の範囲】
【請求項１】
鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与するクリック感付与部材とを備え、
前記クリック感付与部材は、所定個所にレバー突起が設けられて押鍵時に上下方向に回動する回動レバーと、この回動レバーの前記レバー突起が当接して乗り越える規制部材とを備え、
前記回動レバーは、押鍵時に前記鍵が下方に回動する行き行程で前記鍵の一部または前記ハンマーアームの一部が下方から当接する第１当接部と、前記鍵が上方に回動する戻り行程で前記鍵の一部または前記ハンマーアームの一部が上方から当接する第２当接部とを有し、前記第１当接部が前記第２当接部から上方に所定間隔離れた構成であることを特徴とする鍵盤装置。
【請求項２】
鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与するクリック感付与部材とを備え、
前記クリック感付与部材は、外周面に突起が設けられて押鍵時に上下方向に回動する回動体と、この回動体の前記突起が当接して乗り越える規制部とを備え、これらが前記鍵または前記ハンマーアームに設けられ、
前記回動体は、押鍵時に前記鍵が下方に回動する行き行程で前記鍵盤シャーシ側に設けられた回動体用上限ストッパに下方から当接する第１当接部と、前記鍵が上方に回動する戻り行程で前記鍵盤シャーシ側に設けられた回動体用下限ストッパに上方から当接する第２当接部とを有することを特徴とする鍵盤装置。
【請求項３】
鍵盤シャーシと、この鍵盤シャーシ上に上下方向に回動可能に設けられた複数の鍵と、これら複数の鍵それぞれにクリック感を付与するクリック感付与部材とを備え、
前記クリック感付与部材は、外周面に複数の規制突起が設けられて押鍵時に上下方向に回転する回転体と、この回転体が取り付けられ、押鍵時に前記鍵が下方に回動する行き行程で前記回転体の回転を阻止し、かつ前記鍵が上方に回動する戻り行程で前記回転体を回転可能な状態にするクラッチ部材と、押鍵時に前記回転体の複数の規制突起のいずれかに当接する弾性突起とを備えたことを特徴とする鍵盤装置。
【請求項４】
前記クリック感付与部材は、前記回転体および前記クラッチ部材が前記鍵盤シャーシに設けられ、前記弾性突起が前記鍵、または前記鍵の押鍵動作に伴って回動変位して前記鍵にアクション荷重を付与するためのハンマーアームに設けられていることを特徴とする請求項３記載の鍵盤装置。
【請求項５】
前記クリック感付与部材は、前記回転体および前記クラッチ部材が前記鍵、または前記鍵の押鍵動作に伴って回動変位して前記鍵にアクション荷重を付与するためのハンマーアームに設けられ、前記弾性突起が前記鍵盤シャーシに設けられていることを特徴とする請求項３記載の鍵盤装置。
【発明の詳細な説明】
【０００１】
【発明の属する技術分野】
この発明は、電子ピアノなどの鍵盤楽器における鍵盤装置に関する。
【０００２】
【従来の技術】
電子ピアノなどの鍵盤楽器では、アコースティックピアノの鍵タッチ感に近似した鍵タッチ感を得るために、鍵の下方に所定の重量を有するハンマーアームを上下方向に回動可能に設け、鍵の押鍵操作に伴ってハンマーアームがそれ自身の重量に抗して回動することにより、鍵に所定のアクション荷重を付与するようにしたものがある。
このような鍵盤楽器では、鍵を回動可能に支持する鍵盤シャーシにハンマーアームをただ単に回動可能に取り付けた場合、鍵に所定のアクション荷重を付与することはできるが、アコースティックピアノで得られる抜ける感じの鍵タッチ感に近似した鍵タッチ感を得ることができない。
そこで、従来では、このような鍵タッチ感が得られるように、クリック感付与手段を備えた鍵盤装置が開発されている。
【０００３】
図１５はその一例を示した図である。この鍵盤装置は、楽器ケース内に組み込まれる鍵盤シャーシ１を備えている。この鍵盤シャーシ１は、前端部（同図では左端部）１ａが凹部状に折り曲げられた上、その前端上部が更にＬ字状に折り曲げられ、かつ後端部（同図では右端部）１ｂがコ字状に折り曲げられ、前端部１ａの凹部状の部分の底部と後端部１ｂのコ字状の部分の底部とがほぼ同じ高さに形成されている。この鍵盤シャーシ１上には、合成樹脂製の複数の鍵（白鍵と黒鍵、ただしここでは黒鍵について説明する。）２が並列に配置されている。この場合、各鍵２は、その後端部（同図では右端部）の下部が鍵盤シャーシ１の後端部１ｂ上に設けられた鍵支持部３の軸４に回動自在に取り付けられ、この軸４を中心に上下方向に回動するように構成されている。
【０００４】
また、鍵２の中間部に対応する鍵盤シャーシ１上には、ハンマーアーム５を上下方向に回動自在に支持するハンマー支持軸６が設けられている。ハンマーアーム５は、上端部５ａ、中間部５ｂ、および下端部５ｃからなり、中間部５ｂがハンマー支持軸６に回動自在に支持され、下端部５ｃが鍵盤シャーシ１の開口部１ｃを通して鍵盤シャーシ１の後端部１ｂ内に配置され、この下端部５ｃに錘７が設けられ、この錘７の重量によって図１５において時計方向に付勢され、これにより上端部５ａが鍵２の下面に当接し、鍵２を上方に付勢している。また、このハンマーアーム５は、図１５に示すように、通常は錘７の重量によって下方に付勢され、下端部５ｃの先端に設けられた突起部５ｄの下面が鍵盤シャーシ１の後端部１ｂの底部上に設けられたフェルトなどの下限ストッパ８に当接し、これにより所定の下限位置に位置規制されており、また錘７の重量に抗して鍵２が押鍵された際には、ハンマーアーム５の下端部５ｃの突起部５ｄの上面が鍵盤シャーシ１の後端部１ｂの上部内面に設けられたフェルトなどの上限ストッパ９に当接し、これにより所定の上限位置に位置規制されている。
【０００５】
このハンマーアーム５の下端部５ｃの後方（同図では右方）における鍵盤シャーシ１の後端部１ｂの底部上には、鍵２にアコースティックピアノで得られる抜ける感じの鍵タッチ感に近似した鍵タッチ感を付与するクリック感付与部材１０が設けられている。このクリック感付与部材１０は、図１５および図１６に示すように、鍵盤シャーシ１の後端部１ｂの底部上に固定された合成樹脂製のローラ支持体１１を備えている。このローラ支持体１１は、各鍵２に対応する個所に板ばね部１１ａがほぼＬ字形状に形成されて上方に延び、この板ばね部１１ａの上端部にローラ１２が回転自在に取り付けられる取付枠１１ｂが形成された構造になっている。このクリック感付与部材１０は、押鍵時にハンマーアーム５の下端部５ｃに設けられた突起部５ｄの先端がローラ１２に当接した後、ローラ支持体１１の板ばね部１１ａのばね力に抗してローラ１２を乗り越えたときに、鍵２に抜ける感じの鍵タッチ感を付与する。
【０００６】
なお、各鍵２は、ハンマーアーム５によって上方に付勢されているが、通常は各鍵２の前端部に垂設されたＬ字状のストッパ片１３が鍵盤シャーシ１の前端部１ａにおける凹部状の部分の両側下面にそれぞれ設けられたフェルトなどの上限ストッパ１４に当接することにより、所定の初期位置（上限位置）に位置規制されている。また、各鍵２には、押鍵時にゴムスイッチ１５を押圧するためのスイッチ押圧部１６が設けられている。ゴムスイッチ１５は、その内部に固定接点と可動接点が２組設けられたものであり、鍵盤シャーシ１の中間部の下面に設けられた回路基板１７上に配設され、鍵盤シャーシ１の開口部１ｄを通して上方に突出し、これにより鍵２のスイッチ押圧部１６が押圧可能に離間対向している。
【０００７】
このような鍵盤装置では、ハンマーアーム５の錘７の重量に抗して鍵２が押鍵されると、鍵２がその後端部の軸４を中心に下方に回動するとともに、ハンマーアーム５がその中間部５ｂのハンマー支持軸６を中心に図１５において反時計方向に回動し、この後、鍵２のスイッチ押圧部１６がゴムスイッチ１５を押圧した後、ハンマーアーム５の突起部５ｄがクリック感付与部材１０のローラ１２を乗り越えて鍵２に抜ける感じのクリック感を与え、この後、突起部５ｄが上限ストッパ９に当接することにより、ハンマーアーム５および鍵２の回動が停止する。この後、ハンマーアーム５が錘７の重量により図１５において時計方向に回動し、上記と逆の動作を行って、鍵２が図１５に示す初期位置に戻る。
【０００８】
このときの鍵ストロークに対する鍵荷重について、図１７を参照して詳細に説明する。
まず、鍵２が押鍵されて下方に回動する行き行程では、鍵２が回動を開始するときに、ハンマーアーム５の錘７の重量が鍵２に作用するため、鍵荷重が急激に重くなり、Ａ点に到達するとハンマーアーム５の回動速度がほぼ一定になるため、鍵荷重もほぼ一定になり、この状態で鍵２が回動してＢ点に到達すると、鍵２のスイッチ押圧部１６がゴムスイッチ１５に当接して押圧するので、鍵荷重が更に重くなる。そして、鍵２が回動してＣ点に到達すると、ハンマーアーム５の下端部５ｃの突起部５ｄの先端がクリック感付与部材１０のローラ１２に下方から当接してローラ支持体１１の板ばね部１１ａを撓ませるので、鍵荷重が急に重くなる。すなわち、板ばね部１１ａが撓むときには、板ばね部１１ａの反発力がハンマーアーム５を押し下げる方向に作用するため、鍵荷重が急に重くなる。
【０００９】
この後、Ｄ点に到達するとハンマーアーム５の突起部５ｄが板ばね部１１ａのばね力に抗してローラ１２を乗り越えるので、鍵荷重が急激に軽くなる。このときには、板ばね部１１ａの撓みによる反発力がハンマーアーム５を押し上げる方向に作用するため、鍵荷重が急激に軽くなる。この結果、鍵２に抜ける感じのクリック感が付与される。そして、鍵２が更に回動してＥ点に到達すると、ハンマーアーム５の突起部５ｄが上限ストッパ９に当接するので、鍵荷重が急激に重くなり、ハンマーアーム５および鍵２の回動が停止する。
【００１０】
また、鍵２が下限位置に到達して上方に回動する戻り行程では、ハンマーアーム５の錘７の重量によりハンマーアーム５が下方に回動するため、鍵荷重が急激に降下して軽くなり、行き行程でのＥ点よりも鍵荷重が軽いＦ点に到達する際、ハンマーアーム５の突起部５ｄの先端がクリック感付与部材１０のローラ１２に上方から当接してローラ支持体１１の板ばね部１１ａを撓ませるので、更に鍵荷重が軽くなる。すなわち、このときには、板ばね部１１ａの撓みによる反発力がハンマーアーム５を押し上げる方向に作用するため、ハンマーアーム５が鍵２に作用する鍵荷重は軽くなる。そして、ハンマーアーム５の突起部５ｄが板ばね部１１ａのばね力に抗してローラ１２を乗り越えると、板ばね部１１ａの撓みによる反発力がハンマーアーム５を押し下げる方向に作用するため、このハンマーアーム５によって鍵２が押し上げられることになり、これにより鍵荷重が急に重くなる。
【００１１】
この後、Ｇ点に到達するとハンマーアーム５の突起部５ｄが板ばね部１１ａから離間し、板ばね部１１ａの反発力がハンマーアーム５に作用しないため、鍵荷重は急激に軽くなる。この結果、鍵２が上方に回動する戻り行程においても、鍵２にクリック感が付与される。このＧ点は行き行程のＤ点に比べて、ヒステリシスの時間差ＴＨだけ遅れて発生する。そして、鍵２が回動してＨ点に到達すると、スイッチ押圧部１６がゴムスイッチ１５によって押し上げられる反発力により、鍵荷重が更に軽くなり、Ｉ点に到達するとスイッチ押圧部１６がゴムスイッチ１５から離間し、ハンマーアーム５がほぼ一定速度で回動するので、鍵荷重はほぼ一定となる。この状態で、ハンマーアーム５および鍵２が回動してＪ点に到達すると、ハンマーアーム５の突起部５ｄが下限ストッパ８に当接して回動が停止するので、鍵荷重が急激に軽くなり、鍵２のストッパ片１３が上限ストッパ１４に当接して鍵２が初期位置に戻る。
【００１２】
【発明が解決しようとする課題】
このような鍵盤装置では、押鍵時に鍵２が下方に回動する行き行程のときに、ハンマーアーム５が上方に回動してその突起部５ｄがクリック感付与部材１０のローラ１２に当接した後、ローラ支持体１１の板ばね部１１ａのばね力に抗してローラ１２を乗り越えることにより、アコースティックピアノの鍵タッチ感に近似した抜ける感じのクリック感を鍵２に付与することができる。しかし、ハンマーアーム５が下方へ回動して鍵２が上方に回動する戻り行程のときにも、ハンマーアーム５の突起部５ｄがローラ１２に当接して板ばね部１１ａのばね力に抗してローラ１２を乗り越えるため、鍵２にクリック感を付与してしまうことになり、本来アコースティックピアノには無い戻り行程でのクリック感が発生してしまうという問題がある。また、このように戻り行程でクリック感が発生すると、ハンマーアーム５の復帰速度が遅くなり、これに伴って鍵２の初期位置への復帰の遅くなるため、連打性が悪くなるという問題も生じる。
【００１３】
この発明の課題は、押鍵時に鍵が下方に回動する行き行程で鍵に抜ける感じの鍵タッチ感を良好に付与し、戻り行程で鍵に対するクリック感を軽減し、アコースティックピアノの鍵タッチ感に近似した鍵タッチ感が得られるようにすることである。
【００１４】
【課題を解決するための手段】
請求項１記載の発明は、鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与するクリック感付与部材とを備え、前記クリック感付与部材は、所定個所にレバー突起が設けられて押鍵時に上下方向に回動する回動レバーと、この回動レバーの前記レバー突起が当接して乗り越える規制部材とを備え、前記回動レバーは、押鍵時に前記鍵が下方に回動する行き行程で前記鍵の一部または前記ハンマーアームの一部が下方から当接する第１当接部と、前記鍵が上方に回動する戻り行程で前記鍵の一部または前記ハンマーアームの一部が上方から当接する第２当接部とを有し、前記第１当接部が前記第２当接部から上方に所定間隔離れた構成であることを特徴とする。
【００１５】
この発明によれば、押鍵時に鍵が下方に回動する行き行程では、鍵の一部またはハンマーアームの一部が回動レバーの第１当接部に下方から当接して回動レバーが回動し、この回動レバーのレバー突起が規制部材に当接して乗り越える際、規制部材による反発力がハンマーアームを押し下げる方向に作用するため、鍵荷重が急激に重くなり、レバー突起が規制部材を乗り越えると、鍵荷重が急に軽くなり、これにより鍵にアコースティックピアノの抜ける感じの鍵タッチ感を付与することができる。また、鍵が上方に回動する戻り行程では、ハンマーアームがその重量で鍵を上方に押し上げながら回動し、鍵の一部またはハンマーアームの一部が回動レバーの第２当接部に上方から当接して回動レバーが逆方向に回動し、この回動レバーのレバー突起が規制部材に当接して乗り越える際、規制部材による反発力がハンマーアームを押し上げる方向に作用するため、鍵荷重が軽くなる。すなわち、このときには、第２当接部が第１当接部の下方に所定間隔だけ離れているので、ハンマーアームがその重量により速度をもって回動し、このハンマーアームの速度に伴って鍵の一部またはハンマーアームの一部が第２当接部に衝突し、その衝撃により回動レバーが急激に回動してレバー突起が規制部材を急激に乗り越えるため、鍵荷重が一瞬だけ軽くなる。これにより、戻り行程での鍵に対するクリック感が軽減され、アコースティックピアノの鍵タッチ感に近似した鍵タッチ感を得ることができる。
【００１６】
請求項２記載の発明は、鍵盤シャーシと、この鍵盤シャーシ上に上下方向に回動可能に設けられた複数の鍵と、これら複数の鍵それぞれに対応して設けられて前記鍵を上方に付勢し、前記鍵の押鍵動作に伴って回動変位して前記鍵にアクション荷重を付与するためのハンマーアームと、前記複数の鍵それぞれにクリック感を付与するクリック感付与部材とを備え、前記クリック感付与部材は、外周面に突起が設けられて押鍵時に上下方向に回動する回動体と、この回動体の前記突起が当接して乗り越える規制部とを備え、これらが前記鍵または前記ハンマーアームに設けられ、前記回動体は、押鍵時に前記鍵が下方に回動する行き行程で前記鍵盤シャーシ側に設けられた回動体用上限ストッパに下方から当接する第１当接部と、前記鍵が上方に回動する戻り行程で前記鍵盤シャーシ側に設けられた回動体用下限ストッパに上方から当接する第２当接部とを有することを特徴とする。
【００１７】
この発明によれば、押鍵時に鍵が下方に回動する行き行程では、鍵またはハンマーアームの回動に伴って回動体が上方に移動し、この回動体の第１当接部が回動体用上限ストッパに下方から当接して回動体が回動し、この回動体の突起が規制部に当接して乗り越える際、規制部による反発力がハンマーアームを押し下げる方向に作用するため、鍵荷重が急激に重くなり、突起が規制部を乗り越えると、鍵荷重が急に軽くなり、これにより鍵にアコースティックピアノの抜ける感じの鍵タッチ感を付与することができる。また、鍵が上方に回動する戻り行程では、ハンマーアームがその重量で鍵を押し上げながら回動し、これに伴って回動体が下方に移動して第２当接部が回動体用下限ストッパに上方から当接し、これにより回動体が逆方向に回動して回動体の突起が規制部に当接して乗り越える際、規制部による反発力がハンマーアームを押し上げる方向に作用するため、鍵荷重が軽くなる。すなわち、このときには、ハンマーアームがその重量により速度をもって回動し、このハンマーアームの速度に伴って回動体が降下して第２当接部が回転体用下限ストッパに衝突し、その衝撃により回動体が急激に回動して突起が規制部を急激に乗り越えるため、鍵荷重が一瞬軽くなる。これにより、戻り行程での鍵に対するクリック感が軽減され、アコースティックピアノの鍵タッチ感に近似した鍵タッチ感を得ることができる。
【００１８】
請求項３記載の発明は、鍵盤シャーシと、この鍵盤シャーシ上に上下方向に回動可能に設けられた複数の鍵と、これら複数の鍵それぞれにクリック感を付与するクリック感付与部材とを備え、前記クリック感付与部材は、外周面に複数の規制突起が設けられて押鍵時に上下方向に回転する回転体と、この回転体が取り付けられ、押鍵時に前記鍵が下方に回動する行き行程で前記回転体の回転を阻止し、かつ前記鍵が上方に回動する戻り行程で前記回転体を回転可能な状態にするクラッチ部材と、押鍵時に前記回転体の複数の規制突起のいずれかに当接する弾性突起とを備えたことを特徴とする。
【００１９】
この発明によれば、押鍵時に鍵が下方に回動する行き行程では、クラッチ部材により回転体の回転が阻止されるため、弾性突起と回転体の規制突起とが相対的に当接しても、回転体は回転せず、弾性突起が弾性変形して規制突起を乗り越えることになり、このときに弾性突起の弾性力による反発力がハンマーアームを押し下げる方向に作用するため、鍵荷重が急激に重くなり、弾性突起が規制突起を乗り越えると、鍵荷重が急に軽くなり、これにより鍵にアコースティックピアノの抜ける感じの鍵タッチ感を付与することができる。また、鍵が上方に回動する戻り行程では、クラッチ部材により回転体が回転可能な状態になるため、ハンマーアームがその重量で鍵を押し上げながら回動して弾性突起と回転体の規制突起とが相対的に当接すると、弾性突起が弾性変形することなく、弾性突起により回転体が回転して弾性突起が規制突起を乗り越えるので、鍵荷重が重くなることがない。これにより、戻り行程での鍵に対するクリック感がほとんど生じることがなく、より一層、アコースティックピアノの鍵タッチ感に近似した鍵タッチ感を得ることができる。
【００２０】
【発明の実施の形態】
［第１実施形態］
以下、図１〜図４を参照して、この発明の鍵盤装置の第１実施形態について説明する。なお、図１５〜図１７に示された従来例と同一部分には同一符号を付し、その説明は省略する。
この鍵盤装置では、クリック感付与部材２０が従来例と異なり、これ以外は従来例と同じ構成になっている。このクリック感付与部材２０は、図１および図２に示すように、ハンマーアーム５の後方（同図では右方）における鍵盤シャーシ１の後端部１ｂ内の底部に設けられた支持体２１を備えている。
この支持体２１の上部には、回動レバー２２がレバー軸２３によって上下方向に回動自在に取り付けられており、支持体２１の底部には、板ばね部（規制部材）２４がその上部をレバー軸２３に接近させた状態で立設されている。
【００２１】
回動レバー２２は、押鍵時に鍵２が下方に回動する行き行程でハンマーアーム５の下端部５ｃの先端部２５が下方から当接する第１当接部２６と、鍵２が上方に回動する戻り行程でハンマーアーム５の先端部２５が上方から当接する第２当接部２７とを有し、第１当接部２６が第２当接部２７から上方に所定間隔だけ離れ、これら第１、第２当接部２６、２７がほぼコ字状に形成され、その中間部のほぼ中心部にアーム部２８が後方（図１では右方）に延出して形成され、このアーム部２８の後端部がレバー軸２３に回動自在に取り付けられ、このレバー軸２３の周囲に位置するアーム部２８の外周面にレバー突起２９が設けられた構成になっている。この場合、下側の第２当接部２７は、上側の第１当接部２６よりも長さが長く形成されている。一方、板ばね部２４の上部には、アーム部２８のレバー突起２９が当接し、板ばね部２４のばね力に抗して乗り越える規制突起３０が設けられている。なお、鍵盤シャーシ１の後端部１ｂにおける上部内面には、回動レバー２２の第１当接部２６が当接するレバー用ストッパ３１が設けられている。また、この回動レバー２２は、押鍵されない初期状態では図１に示す所定位置に保持されている。
【００２２】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１において反時計方向に回動した後、鍵２のスイッチ押圧部１６がゴムスイッチ１５を押圧する。この後、図２に示すように、ハンマーアーム５の先端部２５が回動レバー２２の第１当接部２６に下方から当接し、これにより第１当接部２６が押し上げられて回動レバー２２がレバー軸２３を中心に図１において時計方向に回動する。このときには、図３（ａ）に示すように、回動レバー２２のレバー突起２９が板ばね部２４の規制突起３０に当接し、板ばね部２４のばね力に抗して規制突起３０を乗り越える際に、板ばね部２４のばね力による反発力がハンマーアーム５を押し下げる方向に作用するため、図４のＣ点からＤ点に示すように、鍵荷重が急激に重くなり、図３（ｂ）に示すようにレバー突起２９が規制突起３０を乗り越えると、図４のＤ点からＥ点に示すように、鍵荷重が急に軽くなる。これにより、鍵２にアコースティックピアノの抜ける感じの鍵タッチ感が付与される。この後、回動レバー２２の第１当接部２６がレバー用ストッパ３１に当接し、ハンマーアーム５の下端部５ｃの上面が上限ストッパ９に当接して、ハンマーアーム５および鍵２の回動が停止する。
【００２３】
この後、ハンマーアーム５が錘７の重量により図２において時計方向に回動すると、これに伴って鍵２が上方に回動し、ハンマーアーム５の先端部２５が回動レバー２２の第２当接部２７に上方から当接し、これにより第２当接部２７が押し下げられて回動レバー２２が図２において反時計方向に回動し、回動レバー２２のレバー突起２９が板ばね部２４の規制突起３０に当接し、板ばね部２４のばね力に抗して規制突起３０を乗り越える。このときには、板ばね部２４のばね力による反発力がハンマーアーム５を押し上げる方向に作用するため、図４のＧ点に示すように、鍵荷重は軽くなる。すなわち、このときには、第２当接部２７が第１当接部２６の下方に所定間隔だけ離れているので、ハンマーアーム５がその重量により速度をもって回動し、このハンマーアーム５の速度によりハンマーアーム５の先端部２５が第２当接部２７に衝突し、その衝撃により回動レバー２２が急激に回動し、レバー突起２９が規制突起３０を急激に乗り越えるため、図４のＧ点に示すように、鍵荷重が一瞬だけ軽くなる。この場合、特に第１当接部２６に対し第２当接部２７の長さが長く形成されているので、行き行程に比べて戻り行程の方がレバー突起２９に大きな力が作用することになり、これによってもレバー突起２９が規制突起３０を急激に乗り越えることになり、鍵荷重が一瞬だけ軽くなる。このため、鍵２にはほとんどクリック感が付与されない。なお、この後は、回動レバー２２が図１に示す初期位置に戻るとともに、従来例と同様、ハンマーアーム５および鍵２が回動して図１に示す初期位置に戻る。
【００２４】
このように、この鍵盤装置では、押鍵時に鍵２が下方に回動する行き行程では、ハンマーアーム５の先端部２５が回動レバー２２の第１当接部２６に下方から当接して第１当接部２６を押し上げ、これにより回動レバー２２が回動して回動レバー２２のレバー突起２９が板ばね部２４のばね力に抗して規制突起３０を乗り越えるので、鍵２にアコースティックピアノの抜ける感じの鍵タッチ感を付与することができ、また鍵２が上方に回動する戻り行程では、ハンマーアーム５がその重量で鍵２を押し上げながら回動し、ハンマーアーム５の先端部２５が回動レバー２２の第２当接部２７に上方から当接するときに、ハンマーアーム５の速度によりハンマーアーム５の先端部２５が第２当接部２７に衝突し、その衝撃により回動レバー２２が急激に回動してレバー突起２９が規制突起３０を急激に乗り越えるため、鍵荷重が一瞬だけ軽くなり、これにより戻り行程での鍵２に対するクリック感が軽減され、アコースティックピアノの鍵タッチ感に近似した鍵タッチ感を得ることができる。また、鍵２の戻り行程で鍵２に対するクリック感が軽減されると、ハンマーアーム５の復帰速度が従来のものよりも早くなり、これに伴って鍵２の初期位置への復帰も早くなるため、連打性が向上する。
【００２５】
なお、上記第１実施形態では、ハンマーアーム５の先端部２５が回動レバー２２の第１、第２当接部２６、２７に当接して回動レバー２２を回動させるようにしたが、これに限らず、例えば図５に示すように、鍵２の後端部に突起部３２を設け、この突起部３２が回動レバー２２の第１、第２当接部２６、２７に上下方向から当接して回動レバー２２を上下方向に回動させるようにしてもよい。この場合には、鍵盤シャーシ１の後端部１ｂ上に支持体２１を設け、この支持体２１に第１実施形態と同様、回動レバー２２および板ばね部２４を取り付ければ良い。このようにしても、第１実施形態と同様の作用効果があることは言うまでもない。
【００２６】
また、上記第１実施形態では、回動レバー２２の第１、第２当接部２６、２７がコ字状に形成され、その中間部のほぼ中心部にアーム部２８が設けられているが、これに限らず、第１、第２当接部２６、２７がコ字状に形成された中間部の上部側にアーム部２８を設けて、レバー軸２３から第１当接部２６の先端までの距離よりも第２当接部２７の先端までの距離を長く形成しても良い。このようにすれば、レバー軸２３から第１当接部２６の先端までの距離よりも第２当接部２７の先端までの距離が長いので、押鍵時における行き行程に比べて戻り行程の方がレバー突起２９に大きな力を作用させることができ、これにより戻り行程での鍵２に対するクリック感を更に軽減することができ、より一層、アコースティックピアノの鍵タッチ感に近似した鍵タッチ感を得ることができる。
【００２７】
［第２実施形態］
次に、図６〜図９を参照して、この発明の鍵盤装置の第２実施形態について説明する。この場合には、図１〜図４に示された第１実施形態と同一部分には同一符号を付し、その説明は省略する。
この鍵盤装置では、クリック感付与部材３５が第１実施形態と異なり、これ以外は第１実施形態と同じ構成になっている。
このクリック感付与部材３５は、図６および図７に示すように、上下方向に回動する回動体３６、およびこの回動体３６の回動を規制する規制部３７を有し、これらがハンマーアーム５の下端部５ｃの先端部２５に設けられた構成になっている。
【００２８】
回動体３６は、合成樹脂製の円板であり、その中心が支持軸３８によりハンマーアーム５の先端部２５に回動自在に取り付けられている。この回動体３６の外周部には、その一部に形成された円弧状のスリット孔３９に対応して弾性突起４０が設けられている。この弾性突起４０は、規制部３７に当接して弾性変形することにより規制部３７を乗り越えるように構成されている。また、この弾性突起４０と対応する回動体３６の外周部には、第１、第２当接部４１、４２が後方（図６および図７では右方）に突出して設けられている。第１当接部４１は、押鍵時に鍵２が下方に回動する行き行程のときにハンマーアーム５の回動に伴って上方に移動して、鍵盤シャーシ１の後端部１ｂ内における上部内面に設けられた回動体用上限ストッパ４３に下方から当接する。また、第２当接部４２は、鍵２が上方に回動する戻り行程のときにハンマーアーム５の回動に伴って下方に移動して、鍵盤シャーシ１の後端部１ｂ内における底部に設けられた回動体用下限ストッパ４４に上方から当接する。
【００２９】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図６において反時計方向に回動した後、鍵２のスイッチ押圧部１６がゴムスイッチ１５を押圧する。この後、図７に示すように、ハンマーアーム５の先端部２５に設けられた回動体３６が上方に移動し、この回動体３６の第１当接部４１が鍵盤シャーシ１の回動体用上限ストッパ４３に下方から当接し、これにより回動体３６が支持軸３８を中心に回動する。このときには、回動体３６の弾性突起４０が規制部３７に当接し、回動体３６の回動に伴って弾性突起４０が弾性変形して規制部３７を乗り越える際に、弾性突起４０の弾性変形による反発力がハンマーアーム５を押し下げる方向に作用するため、図９のＣ点からＤ点に示すように、鍵荷重が急激に重くなり、図８（ｂ）に示すように弾性突起４０が規制部３７を乗り越えると、図９のＤ点からＥ点に示すように、鍵荷重が急に軽くなる。これにより、鍵２にアコースティックピアノの抜ける感じの鍵タッチ感が付与される。この後は、ハンマーアーム５の下端部５ｃの上面が上限ストッパ９に当接して、ハンマーアーム５および鍵２の回動が停止する。
【００３０】
この後、ハンマーアーム５が錘７の重量により図７において時計方向に回動すると、これに伴って鍵２が上方に回動し、ハンマーアーム５の先端部２５に設けられた回動体３６が下方に移動する。このときには、従来例と同様、鍵荷重が急激に降下して軽くなり、行き行程でのＥ点よりも鍵荷重の軽いＦ点を経てＨ点に移行し、鍵２のスイッチ押圧部１６がゴムスイッチ１５によって押し上げられ、これにより鍵荷重が更に軽くなり、Ｉ点に到達してスイッチ押圧部１６がゴムスイッチ１５から離間すると、ハンマーアーム５がほぼ一定速度で回動するので、鍵荷重がほぼ一定となる。この後、回動体３６の第２当接部４２が鍵盤シャーシ１の回動体用下限ストッパ４４に上方から当接し、図８（ａ）に示すように、回動体３６が回動して回動体３６の弾性突起４０が規制部３７に当接し、この弾性突起４０が弾性変形して規制部３７を乗り越える。このときには、弾性突起４０の弾性力による反発力がハンマーアーム５を押し上げる方向に作用するため、図９のＧ点に示すように、鍵荷重は一瞬だけ軽くなる。すなわち、回動体３６はハンマーアーム５の上限位置から下限位置まで回動し、この回動速度で第２当接部４２が下方に移動して下限ストッパ４４に衝突するため、その衝撃により回動体３６が急激に回動し、弾性突起４０が弾性変形して規制部３７を急激に乗り越えることになり、これにより図９のＧ点に示すように、鍵荷重が一瞬だけ軽くなる。このため、鍵２にはほとんどクリック感が付与されない。なお、この後は、従来例と同様、ハンマーアーム５および鍵２が回動して図６に示す初期位置に戻る。
【００３１】
このように、この鍵盤装置では、押鍵時に鍵２が下方に回動する行き行程では、ハンマーアーム５に伴って回動体３６が上方に移動し、この回動体３６の第１当接部４１が回動体用上限ストッパ４３に下方から当接して回動体３６を回動させることにより、回動体３６の弾性突起４０が弾性変形して規制部３７を乗り越えるので、鍵２にアコースティックピアノの抜ける感じの鍵タッチ感を付与することができ、また鍵２が上方に回動する戻り行程では、ハンマーアーム５と共に回動体３６が下方に移動し、回動体３６の第２当接部４２が回動体用下限ストッパ４４に上方から当接するときに、ハンマーアーム５の回動速度に伴って回動体３６が降下して第２当接部４２が回動体用下限ストッパ４４に衝突し、その衝撃によって回動体３６が急激に回動して弾性突起４０が規制部３７を急激に乗り越えるため、鍵荷重が一瞬だけ軽くなり、これにより戻り行程での鍵２に対するクリック感が軽減され、アコースティックピアノの鍵タッチ感に近似した鍵タッチ感を得ることができる。また、戻り行程で鍵２に対するクリック感が軽減されると、第１実施形態と同様、ハンマーアーム５の復帰速度が従来のものよりも早くなり、これに伴って鍵２の初期位置への復帰も早くなるため、連打性が向上する。
【００３２】
なお、上記第２実施形態では、ハンマーアーム５の先端部２５に回動体３６および規制部３７を設けたが、これに限らず、例えば図１０に示すように、鍵２の後端部に突起部３２を設け、この突起部３２に回動体３６および規制部３７を設けた構成でも良い。この場合には、鍵盤シャーシ１の後端部１ｂ上に支持部材４５を設け、この支持部材４５の上部下面に回動体３６の第１当接部４１が下方から当接する回動体用上限ストッパ４３を設け、支持部材４５の下部上面に回動体３６の第２当接部４２が上方から当接する回動体用下限ストッパ４４を設ければ良い。このようにしても、第２実施形態と同様の作用効果があることは言うまでもない。
【００３３】
また、上記第２実施形態では、回動体３６の第１、第２当接部４１、４２をほぼ同じ長さに形成したが、これに限らず、第２当接部４２を第１当接部４１よりも長く形成しても良い。このようにすれば、支持軸３８から第１当接部４１の先端までの距離よりも第２当接部４２の先端までの距離が長くなるため、行き行程に比べて戻り行程の方が弾性突起４０に大きな力を作用させることができ、これにより戻り行程での鍵２に対するクリック感を更に軽減することができ、より一層、アコースティックピアノの鍵タッチ感に近似した鍵タッチ感を得ることができる。
【００３４】
さらに、上記第２実施形態では、回動体３６に弾性突起４０が設けられ、この弾性突起４０が規制部３７に当接して弾性変形するように構成されているが、これに限らず、例えば規制部を弾性変形可能な構造にし、回動体３６に弾性変形しない突起を設けた構造にしても良い。このようにしても、第２実施形態と同様の作用効果があることは言うまでもない。
【００３５】
［第３実施形態］
次に、図１１〜図１３を参照して、この発明の鍵盤装置の第３実施形態について説明する。この場合には、図１〜図４に示された第１実施形態と同一部分には同一符号を付し、その説明は省略する。
この鍵盤装置では、クリック感付与部材５０が第１実施形態と異なり、これ以外は第１実施形態と同じ構成になっている。このクリック感付与部材５０は、図１１および図１２に示すように、ハンマーアーム５の後方（同図では右方）における鍵盤シャーシ１の後端部１ｂの底部に設けられた支持体５１を備えている。この支持体５１の上部には、クラッチ部材５２を介して回転体５３が一方向のみに回転可能に取り付けられている。このクラッチ部材５２は、ワンウェイクラッチやラチェット車などであり、支持体５１の上部に設けられ、図１１および図１２において反時計方向にのみ回転し、時計方向には回転しない構造になっている。
【００３６】
回転体５３は、クラッチ部材５２に取り付けられ、このクラッチ部材５２によって回転方向が規制されている。すなわち、この回転体５３は、押鍵時に鍵２が下方に回動する行き行程でハンマーアーム５の先端部２５が上方に移動するときに、その方向への回転がクラッチ部材５２によって阻止され、鍵２が上方に回動する戻り行程でハンマーアーム５の先端部２５が下方に移動するときに、その方向への回転がクラッチ部材５２により可能となるように規制されている。また、回転体５３の外周面には、複数の突起５４がほぼ等間隔に設けられている。
一方、ハンマーアーム５の下端部５ｃの先端部２５には、回転体５３の突起５４に当接する弾性突起５５が設けられている。この弾性突起５５は、ハンマーアーム５の先端部２５の一部に形成されたスリット孔５６により弾性変形が可能な構成になっている。
【００３７】
このような鍵盤装置では、従来例と同様、ハンマーアーム５の錘７の重量に抗して鍵２が押鍵されると、鍵２が軸４を中心に下方に回動するとともに、ハンマーアーム５がハンマー支持軸６を中心に図１１において反時計方向に回動した後、鍵２のスイッチ押圧部１６がゴムスイッチ１５を押圧する。この後、図１２に示すように、ハンマーアーム５の先端部２５が上方に移動して弾性突起５５が回動体５３の突起５４に下方から当接する。このときには、クラッチ部材５２によって回転体５３の回転が阻止されているため、弾性突起５５が弾性変形して突起５４を乗り越えることになり、このとき、弾性突起５５の弾性変形による反発力がハンマーアーム５を押し下げる方向に作用するため、図１３のＣ点からＤ点に示すように、鍵荷重が急激に重くなり、弾性突起５５が回転体５３の突起５４を乗り越えると、図１３のＤ点からＥ点に示すように、鍵荷重が急に軽くなる。これにより、鍵２にアコースティックピアノの抜ける感じの鍵タッチ感が付与される。この後、ハンマーアーム５の下端部５ｃの上面が上限ストッパ９に当接して、ハンマーアーム５および鍵２の回動が停止する。
【００３８】
この後、ハンマーアーム５が錘７の重量により図１２において時計方向に回動すると、これに伴って鍵２が上方に回動し、ハンマーアーム５の弾性突起５５が回動体５３の突起５４に上方から当接する。このときには、クラッチ部材５２によって回転体５３が図１２において反時計方向に回転可能となっているので、ハンマーアーム５の弾性突起５５により回転体５３の突起５４が押されて回転体５３が回転し、弾性突起５５が弾性変形することなく回転体５３の突起５４を乗り越える。このため、弾性突起５５がハンマーアーム５の回動をほとんど妨げることがないので、図１３のＦ点からＨ点に示すように、鍵荷重はそのままの状態で軽くなる。これにより弾性突起５５が回転体５３の突起５４を乗り越えても、鍵荷重が重くならず、鍵２にクリック感が付与されることがない。なお、この後は、従来例と同様、ハンマーアーム５および鍵２が回動して図１１に示す初期位置に戻る。
【００３９】
このように、この鍵盤装置では、押鍵時に鍵２が下方に回動する行き行程では、クラッチ部材５２によって回転体５３の回転が阻止されているため、ハンマーアーム５の回動に伴って弾性突起５５が回転体５３の突起５４に下方から当接すると、弾性突起５５が弾性変形して突起５４を乗り越えることになり、このため鍵２にアコースティックピアノの抜ける感じの鍵タッチ感を付与することができ、また鍵２が上方に回動する戻り行程では、クラッチ部材５２によって回転体５３が回転可能となっているので、ハンマーアーム５がその重量で鍵２を押し上げながら回動し、ハンマーアーム５の先端部２５の弾性突起５５が回転体５３の突起５４に当接すると、弾性突起５５によって回転体５３が回転し、これにより弾性突起５５が弾性変形することなく回転体５３の突起５４を乗り越えるので、鍵荷重が重くならない。このため、戻り行程で鍵２に対するクリック感がなく、アコースティックピアノの鍵タッチ感に近似した鍵タッチ感を得ることができる。また、戻り行程で鍵２に対するクリック感がないため、第１実施形態のものよりも、ハンマーアーム５の復帰速度が早くなり、これに伴って鍵２の初期位置への復帰も早くなるので、より一層、連打性が向上する。
【００４０】
なお、上記第３実施形態では、ハンマーアーム５の先端部２５に弾性突起５５を設け、この弾性突起５５を回転体５３の突起５４に当接させるようにしたが、これに限らず、例えば図１４に示すように、鍵２の後端部に突起部３２を設け、この突起部３２に板ばね状の弾性突起５７を設け、この弾性突起５７の先端が回転体５３の突起５４に上下方向から当接するようにしても良い。この場合には、鍵盤シャーシ１の後端部１ｂ上に支持体５１を設け、この支持体５１にクラッチ部材５２を介して回転体５３を取り付ければ良い。このようにしても、第３実施形態と同様の作用効果があることは言うまでもない。
【００４１】
また、上記第３実施形態では、クリック感付与部材５０のクラッチ部材５２および回転体５３を鍵盤シャーシ１側に設け、弾性突起５５をハンマーアーム５側に設けたが、これに限らず、例えばハンマーアーム５の下端部５ｃの先端部２５にクラッチ部材５２を介して回転体５３を取り付け、鍵盤シャーシ１の後端部１ｂに回転体５３の突起５４に上下方向から当接する弾性突起を設けた構成でも良い。また、鍵２の後端部の突起部３２にクラッチ部材５２を介して回転体５３を取り付け、鍵盤シャーシ１の後端部１ｂ上に回転体５３の突起５４に上下方向から当接する弾性突起を設けた構成でも良い。いずれの場合にも、第３実施形態と同様の作用効果があることは言うまでもない。
【００４２】
【発明の効果】
以上説明したように、この発明によれば、押鍵時に鍵が下方に回動する行き行程では、クリック感付与部材によって鍵にアコースティックピアノの抜ける感じの鍵タッチ感を付与することができ、また鍵が上方に回動する戻り行程では、クリック感付与部材によって鍵に対するクリック感を軽減でき、これによりアコースティックピアノの鍵タッチ感に近似した鍵タッチ感を得ることができ、しかも戻り行程で鍵に対するクリック感が軽減されるので、鍵およびハンマーアームの復帰速度が従来のものよりも早くなり、連打性の向上が図れる。
【図面の簡単な説明】
【図１】この発明の鍵盤装置の第１実施形態を示した断面図。
【図２】図１の鍵盤装置の鍵を押鍵した状態の要部を示した断面図。
【図３】図１および図２における回動レバーの突起と板ばねの突起との当接状態を示し、（ａ）は図１の非押鍵状態における要部の拡大図、（ｂ）は図２の押鍵状態における要部の拡大図。
【図４】図１の鍵盤装置における鍵ストロークに対する鍵荷重の特性を示した図。
【図５】第１実施形態の変形例を示した図。
【図６】この発明の鍵盤装置の第２実施形態を示した断面図。
【図７】図６の鍵盤装置の鍵を押鍵した状態の要部を示した断面図。
【図８】図６および図７における回動体の動作状態を示し、（ａ）は図６の非押鍵状態における回動体の要部拡大図、（ｂ）は図２の押鍵状態における回動体の要部拡大図。
【図９】図６の第２実施形態における鍵盤装置の鍵ストロークに対する鍵荷重の特性を示した図。
【図１０】第２実施形態の変形例を示した図。
【図１１】この発明の鍵盤装置の第３実施形態を示した断面図。
【図１２】図１１の鍵盤装置の鍵を押鍵した状態の要部を示した断面図。
【図１３】図１１の第３実施形態における鍵盤装置の鍵ストロークに対する鍵荷重の特性を示した図。
【図１４】第３実施形態の変形例を示した図。
【図１５】従来の鍵盤装置を示した断面図。
【図１６】図１５の従来のクリック感付与部材を示した拡大断面図。
【図１７】図１５の従来の鍵盤装置における鍵ストロークに対する鍵荷重の特性を示した図。
【符号の説明】
１  鍵盤シャーシ
２  鍵
３  鍵支持部
４  軸
５  ハンマーアーム
２０、３５、５０  クリック感付与部材
２２  回動レバー
２４  板ばね部
２５  ハンマーアームの先端部
２６、４１  第１当接部
２７、４２  第２当接部
２９  レバー突起
３０  規制突起
３２  突起部
３６  回動体
３７  規制部
４０、５５、５７  弾性突起
４３  回動体用上限ストッパ
４４  回動体用下限ストッパ
５２  クラッチ部材
５３  回転体
５４  突起
【図１】
0003744178.tif 000002
【図２】
0003744178.tif 000003
【図３】
0003744178.tif 000004
【図４】
0003744178.tif 000005
【図５】
0003744178.tif 000006
【図６】
0003744178.tif 000007
【図７】
0003744178.tif 000008
【図８】
0003744178.tif 000009
【図９】
0003744178.tif 000010
【図１０】
0003744178.tif 000011
【図１１】
0003744178.tif 000012
【図１２】
0003744178.tif 000013
【図１３】
0003744178.tif 000014
【図１４】
0003744178.tif 000015
【図１５】
0003744178.tif 000016
【図１６】
0003744178.tif 000017
【図１７】
0003744178.tif 000018